(57)【要約】【課題】  刈取収穫機において、前方を照射するライトを刈取部に備える場合、ライトを刈取部に連結するボルトの緩みにより、ライトの刈取部への取り付けがガタ付くような状態を防止する。【解決手段】  ライト２０に複数の連結部２４ａ，２４ｂ，２４ｃ，２４ｄを備え、刈取部２に複数の取付部３１ａ，３１ｂ，３１ｃ，３２ａを備えて、ライト２０の所定の連結部２４ａ，２４ｂのボルト３３の締め付け方向と、ライト２０の別の連結部２４ｃ，２４ｄのボルト３３の締め付け方向とが、互いに交差するように設定する。【選択図】        図６
2006115799.tif 000002
【特許請求の範囲】
【請求項１】
機体の前部に刈取部を備え、前方を照射するライトを前記刈取部に備えた刈取収穫機であって、
前記ライトに複数の連結部を備えて、前記刈取部に複数の取付部を備え、前記ライトの連結部を刈取部の取付部にボルトによって連結するように構成して、前記ライトが刈取部に支持されるように構成すると共に、
前記ライトの所定の連結部のボルトの締め付け方向と、前記ライトの別の連結部のボルトの締め付け方向とが、互いに交差するように設定してある刈取収穫機。
【請求項２】
機体の前部に刈取部を備え、前方を照射するライトを前記刈取部に備えた刈取収穫機であって、
前記刈取部の右及び左側部に右及び左のライトを備え、前記右及び左のライトに複数の連結部を備えて、前記刈取部に複数の取付部を備え、前記右及び左のライトの連結部を刈取部の取付部にボルトによって連結するように構成して、前記右及び左のライトが刈取部に支持されるように構成すると共に、
前記右及び左のライトの所定の連結部のボルトの締め付け方向を刈取部の左右方向に設定し、前記右及び左のライトの別の連結部のボルトの締め付け方向を刈取部の前後方向に設定してある刈取収穫機。
【発明の詳細な説明】
【技術分野】
【０００１】
本発明は、刈取収穫機に備えられるライトの構造に関する。
【背景技術】
【０００２】
コンバイン等の刈取収穫機では夕暮れ時や夜間でも刈取作業を行うことが増えてきており、例えば特許文献１に開示されているように、前方を照射するライト（特許文献１の図１，４，５の１５）を刈取部に備えたものがある。
【０００３】
【特許文献１】特開平７−２８９０５８号公報（図１，４，５）
【発明の開示】
【発明が解決しようとする課題】
【０００４】
刈取収穫機において、刈取部には作物の株元付近を切断する刈取装置や、刈り取った作物を後方に搬送装置する搬送装置等が備えられているので、刈取部に多様な振動が発生している。これにより、ライトを刈取部にボルトによって連結する場合、刈取部の多様な振動によりボルトの緩みが発生することが考えられる。
本発明は刈取収穫機において、前方を照射するライトを刈取部に備える場合、ライトを刈取部に連結するボルトの緩みにより、ライトの刈取部への取り付けがガタ付くような状態を防止することを目的としている。
【課題を解決するための手段】
【０００５】
［Ｉ］
（構成）
本発明の第１特徴は、機体の前部に刈取部を備え、前方を照射するライトを刈取部に備えた刈取収穫機において、次のように構成することにある。
ライトに複数の連結部を備えて、刈取部に複数の取付部を備え、ライトの連結部を刈取部の取付部にボルトによって連結するように構成して、ライトが刈取部に支持されるように構成する。ライトの所定の連結部に取り付けられるボルトの締め付け方向と、ライトの別の連結部に取り付けられるボルトの締め付け方向とが、互いに交差するように設定している。
【０００６】
（作用）
例えばライトの複数の連結部（刈取部の複数の取付部）が全て同じ向きに設定されている場合、刈取部に多様な振動が発生した際に、所定の振動の方向とライトの連結部（刈取部の取付部）のボルトが緩む方向とが合致すると、この所定の振動によって、ライトの複数の連結部（刈取部の複数の取付部）の多くのボルトが緩む可能性がある。
【０００７】
これに対して本発明の第１特徴によると、ライトの所定の連結部（刈取部の所定の取付部）のボルトの締め付け方向と、ライトの別の連結部（刈取部の別の取付部）のボルトの締め付け方向とが、互いに交差するように設定されている。
これにより、例えば所定の振動の方向とライトの所定の連結部（刈取部の所定の取付部）のボルトが緩む方向とが合致して、ライトの所定の連結部（刈取部の所定の取付部）のボルトが緩む可能性が高くても、所定の振動の方向とライトの別の連結部（刈取部の別の取付部）のボルトが緩む方向とが互いに交差しているので、ライトの別の連結部（刈取部の別の取付部）のボルトが緩む可能性は低いものとなる。
【０００８】
本発明の第１特徴によると、ライトの所定の連結部（刈取部の所定の取付部）のボルトの締め付け方向と、ライトの別の連結部（刈取部の別の取付部）のボルトの締め付け方向とが、互いに交差するように設定されていることにより、ライトの所定の連結部（刈取部の所定の取付部）と、ライトの別の連結部（刈取部の別の取付部）とが、互いに交差するような向き（互いに異なる向き）に設定されることになる。
これにより、刈取部に多様な振動が発生して、ライトが多様な方向に振動しようとしても、ライトの所定の連結部と刈取部の所定の取付部との接当、ライトの別の連結部と刈取部の別の取付部との接当により、ライトの多様な振動が抑えられるのであり、ライトの連結部（刈取部の取付部）のボルトが緩む可能性を抑えると言う面で有利なものとなる。
【０００９】
（発明の効果）
本発明の第１特徴によると、刈取収穫機において、前方を照射するライトを刈取部に備える場合、刈取部に多様な振動が発生して、ライトの複数の連結部（刈取部の複数の取付部）の多くのボルトが緩むような状態を避けることができる点、及び、刈取部に多様な振動が発生しても、ライトの多様な振動が抑えられるようになる点により、ライトの刈取部への取り付けがガタ付くような状態を防止することができて、ライトの取付強度を高めることができた。
【００１０】
［ＩＩ］
（構成）
本発明の第２特徴は、機体の前部に刈取部を備え、前方を照射するライトを刈取部に備えた刈取収穫機において、次のように構成することにある。
刈取部の右及び左側部に右及び左のライトを備え、右及び左のライトに複数の連結部を備えて、刈取部に複数の取付部を備え、右及び左のライトの連結部を刈取部の取付部にボルトによって連結するように構成して、右及び左のライトが刈取部に支持されるように構成する。右及び左のライトの所定の連結部のボルトの締め付け方向を刈取部の左右方向に設定し、右及び左のライトの別の連結部のボルトの締め付け方向を刈取部の前後方向に設定している。
【００１１】
（作用）
刈取部の右及び左側部に右及び左のライトを備えた場合、例えば右及び左のライトの複数の連結部（刈取部の複数の取付部）が全て同じ向きに設定されている場合、刈取部に多様な振動が発生した際に、所定の振動の方向と右及び左のライトの連結部（刈取部の取付部）のボルトが緩む方向とが合致すると、この所定の振動によって、右及び左のライトの複数の連結部（刈取部の複数の取付部）の多くのボルトが緩む可能性がある。
【００１２】
これに対して本発明の第２特徴によると、右及び左のライトの所定の連結部（刈取部の所定の取付部）のボルトの締め付け方向が刈取部の左右方向に設定され、右及び左のライトの別の連結部（刈取部の別の取付部）のボルトの締め付け方向が刈取部の前後方向に設定されている（右及び左のライトの所定の連結部（刈取部の所定の取付部）のボルトの締め付け方向と、右及び左のライトの別の連結部（刈取部の別の取付部）のボルトの締め付け方向とが、互いに交差するように設定されている）。
これにより、例えば所定の振動の方向と右及び左のライトの所定の連結部（刈取部の所定の取付部）のボルトが緩む方向とが合致して、右及び左のライトの所定の連結部（刈取部の所定の取付部）のボルトが緩む可能性が高くても、所定の振動の方向と右及び左のライトの別の連結部（刈取部の別の取付部）のボルトが緩む方向とが互いに交差しているので、右及び左のライトの別の連結部（刈取部の別の取付部）のボルトが緩む可能性は低いものとなる。
【００１３】
本発明の第２特徴によると、右及び左のライトの所定の連結部（刈取部の所定の取付部）のボルトの締め付け方向が刈取部の左右方向に設定され、右及び左のライトの別の連結部（刈取部の別の取付部）のボルトの締め付け方向が刈取部の前後方向に設定されていることにより、右及び左のライトの所定の連結部（刈取部の所定の取付部）と、右及び左のライトの別の連結部（刈取部の別の取付部）とが、互いに交差するような向き（互いに異なる向き）に設定されることになる。
これにより、刈取部に多様な振動が発生して、右及び左のライトが多様な方向に振動しようとしても、右及び左のライトの所定の連結部と刈取部の所定の取付部との接当、右及び左のライトの別の連結部と刈取部の別の取付部との接当により、右及び左のライトの多様な振動が抑えられるのであり、右及び左のライトの連結部（刈取部の取付部）のボルトが緩む可能性を抑えると言う面で有利なものとなる。
【００１４】
本発明の第２特徴によると、刈取部の右及び左側部に右及び左のライトを備えた場合、右及び左のライトの所定の連結部（刈取部の所定の取付部）のボルトの締め付け方向が刈取部の左右方向に設定されていることにより、右及び左のライトの所定の連結部（刈取部の所定の取付部）に対し、ボルトを刈取部の右及び左の横外側から容易に取り付けることができる。右及び左のライトの別の連結部（刈取部の別の取付部）のボルトの締め付け方向が刈取部の前後方向に設定されていることにより、右及び左のライトの別の連結部（刈取部の別の取付部）に対し、ボルトを刈取部の前側又は後側から容易に取り付けることができる。
【００１５】
（発明の効果）
本発明の第２特徴によると、刈取収穫機において、前方を照射する右及び左のライトを刈取部に備える場合、刈取部に多様な振動が発生して、右及び左のライトの複数の連結部（刈取部の複数の取付部）の多くのボルトが緩むような状態を避けることができる点、及び、刈取部に多様な振動が発生しても、右及び左のライトの多様な振動が抑えられるようになる点により、右及び左のライトの刈取部への取り付けがガタ付くような状態を防止することができて、右及び左のライトの取付強度を高めることができた。
【００１６】
本発明の第２特徴によると、右及び左のライトの所定の連結部（刈取部の所定の取付部）に対し、ボルトを刈取部の右及び左の横外側から容易に取り付けることができる点、右及び左のライトの別の連結部（刈取部の別の取付部）に対し、ボルトを刈取部の前側又は後側から容易に取り付けることができる点により、ライトの組み付けの作業性を向上させることができて、生産コストの低減を図ることができた。
【発明を実施するための最良の形態】
【００１７】
［１］
図１及び図２に示すように、右及び左のクローラ式の走行装置１で支持された機体の前部に刈取部２を備えて、機体の前部の右側部に運転部３、機体の後部の左側部に脱穀装置４、機体の後部の右側部にグレンタンク５を備えて、刈取収穫機の一例であるコンバインが構成されている。これにより、圃場の作物が刈取部２によって刈り取られ、刈り取られた作物が脱穀装置４に送られて脱穀処理され、脱穀処理されて単粒化した作物が収穫物としてグレンタンク５に貯留される。
【００１８】
図１及び図２に示すように、機体に上下揺動自在に支持された主フレーム６に、刈取部２の全体が支持されており、主フレーム６を昇降駆動する昇降シリンダ７が備えられている。図１，２，３に示すように、刈取部２は５個のデバイダ８，９，１０，１１、引き起し爪１３ａを多数備えた４組の引き起し装置１３、バリカン型式の刈取装置１４及び搬送装置１５を備えて、４条刈り型式に構成されている。
【００１９】
図１及び図２に示すように、グレンタンク５の後部に、アンローダ１２が備えられている。アンローダ１２は内部にスクリュー（図示せず）を備えており、スクリューが回転駆動されることにより、グレンタンク５の収穫物が搬送され、アンローダ１２の吐出口１２ａから排出される。アンローダ１２は横軸芯Ｐ１周りに上下に昇降駆動自在に構成され、縦軸芯Ｐ２周りに旋回駆動自在に構成されている。図１及び図２に示す状態は、運転部３の後部に備えられた受け台１７にアンローダ１２を乗せた状態であり、アンローダ１２を格納位置に配置した状態である。アンローダ１２を格納位置から上昇駆動し、横外側に旋回駆動することにより、トラック（図示せず）の荷台にグレンタンク５の収穫物を排出する。
【００２０】
［２］
次に、引き起し装置１３への伝動系について説明する。
図１及び図３に示すように、刈取部２の全横幅に亘るパイプ状の横フレーム２５が主フレーム６の先端に連結され、横フレーム２５の左端部にパイプ状の縦フレーム２６が連結されて上方に延出されており、横フレーム２５の右端部に支持フレーム２７が連結されて上方に延出されている。縦フレーム２６の上端に変速ケース２８が連結され、支持フレーム２７の上端と変速ケース２８とに亘って、角パイプ状の横フレーム２９が連結されている。横フレーム２９に４個の伝動ケース３０が連結されて下方に延出されており、４個の伝動ケース３０の下部が４組の引き起し装置１３の各々の上部に連結されている。
【００２１】
これにより、動力が主フレーム６に内装された伝動軸（図示せず）及び横フレーム２５に内装された伝動軸（図示せず）を介して伝達されて、刈取装置１４及び搬送装置１５に伝達される。横フレーム２５に内装された伝動軸（図示せず）の動力が、縦フレーム２６に内装された伝動軸（図示せず）、変速ケース２８、横フレーム２９に内装された伝動軸（図示せず）を介して伝動ケース３０に伝達され、伝動ケース３０から引き起し装置１３に伝達される。変速ケース２８に変速機構（図示せず）が内装されており、引き起し装置１３に伝達される動力を高低２段に変速することができる。
【００２２】
［３］
次に、刈取部２の右及び左側部に備えられる右及び左のライト２０おいて、左のライト２０について説明する。
図３及び図４に示すように、右及び左のライト２０は、上及び下のバルブ２２，２３、上及び下のバルブ２２，２３に対するリフレクタ（反射板）が一体的に形成された本体部２４、上及び下のバルブ２２，２３と本体部２４を覆う透明のカバー２１等を備えて、縦長状に構成されている。
【００２３】
図５及び図６に示すように、側面視Ｊ字状の支持フレーム３１が備えられている。支持フレーム３１の上部に取付部３１ａが固定され、支持フレーム３１の取付部３１ａが左右方向に延出されており、支持フレーム３１の取付部３１ａの内側部が縦フレーム２６にボルトで連結され、支持フレーム３１の取付部３１ａの左の横側部が前向きに折り曲げられている（支持フレーム３１の取付部３１ａの左の横側部が左の横外方に向く面を備えている）。支持フレーム３１の中間部に基板３１ｄが固定されて、縦フレーム２６に固定されたブラケット２６ａに支持フレーム３１の基板３１ｄがボルトで連結されている。
【００２４】
図５及び図６に示すように、支持フレーム３１の中間部に取付部３１ｂが固定されて前方に延出されており（支持フレーム３１の取付部３１ｂが左の横外方に向く面を備えている）、支持フレーム３１の下部に左の横向きの取付部３１ｃが固定されている（支持フレーム３１の取付部３１ｃが前方に向く面を備えている）。横フレーム２９の左の横側部に支持フレーム３２が固定され左の横側方に延出されており、支持フレーム３２の端部に取付部３２ａが固定されている（支持フレーム３２の取付部３２ａが前方に向く面を備えている）。
【００２５】
図５及び図６に示すように、左のライト２０（本体部２４）の後面の中間部に、後方に突出する連結部２４ａ，２４ｂが備えられており（左のライト（本体部２４）の連結部２４ａ，２４ｂが内方に向く面を備えている）、左のライト２０（本体部２４）の後面の上部及び下部に、後方に向く面である連結部２４ｃ，２４ｄが備えられている。
【００２６】
これにより、図５及び図６に示すように、左のライト２０（本体部２４）の連結部２４ａ，２４ｂを支持フレーム３１の取付部３１ａ，３１ｂに接当させて、刈取部２の左の横外側からボルト３３を挿入し締め付けて連結する。左のライト２０（本体部２４）の連結部２４ｃ，２４ｄを、支持フレーム３１，３２の取付部３１ｃ，３２ａに接当させて、刈取部２の前側又は後側からボルト３３を挿入し締め付けて連結する。
【００２７】
図１，３，４に示すように、刈取部２の左側部を覆う左の上カバー１６及び左の下カバー３４が備えられている。左の下カバー３４は係合機構（図示せず）によって着脱自在に構成されており、左の下カバー３４に備えられた操作部３４ａを手で持って操作することにより、左の下カバー３４の着脱を行うことができる。図５及び図６に示すように、左の上カバー１６に左のライト２０が入り込む開口部が形成されて、左の上カバー１６の後部下部に連結部１６ｃが備えられている。これにより、左の上カバー１６の開口部に左のライト２０が入り込んだ状態で、縦フレーム２６のブラケット２６ａにボルトで連結されたブラケット２６ｂに、左の上カバー１６の連結部１６ｃがボルトで連結されている。刈取部２の上部を覆う横長のカバー３５（図３及び図４参照）が備えられており、左の上カバー１６の左端部とカバー３５の左端部とがボルトで連結されている。運転部３から後方を目視する為のバックミラー３６が、横フレーム２９の左の横側部に固定されている。
【００２８】
これにより、図１，３，４に示すように、左のライト２０のカバー２１の前面が、左の上カバー１６の前部１６ａ及び引き起し装置１３の前面と略同一面（又は左のライト２０のカバー２１の前面が、左の上カバー１６の前部１６ａ及び引き起し装置１３の前面よりも少し後側）に位置するように構成されており、左のライト２０のカバー２１の横面が、左の上カバー１６の横部１６ｂと略同一面に位置するように構成されている。
【００２９】
［４］
次に、刈取部２の右及び左側部に備えられる右及び左のライト２０おいて、右のライト２０について説明する。
図７及び図８に示すように、側面視Ｊ字状の支持フレーム３１が備えられている。支持フレーム３１の上部に取付部３１ａが固定され、支持フレーム３１の取付部３１ａが左右方向に延出されており、支持フレーム３１の取付部３１ａの内側部が支持フレーム２７にボルトで連結され、支持フレーム３１の取付部３１ａの右の横側部が後向きに折り曲げられている（支持フレーム３１の取付部３１ａの右の横側部が右の横外方に向く面を備えている）。支持フレーム３１の中間部に基板３１ｄが固定されて、支持フレーム２７に固定されたブラケット２７ａに支持フレーム３１の基板３１ｄがボルトで連結されている。
【００３０】
図７及び図８に示すように、支持フレーム３１の中間部に取付部３１ｂが固定されて前方に延出されており（支持フレーム３１の取付部３１ｂが右の横外方に向く面を備えている）、支持フレーム３１の下部に右の横向きの取付部３１ｃが固定されている（支持フレーム３１の取付部３１ｃが前方に向く面を備えている）。横フレーム２９の右の横側部に取付部２９ａが固定されており、横フレーム２９の取付部２９ａが前方に向く面を備えている。
【００３１】
図７及び図８に示すように、右のライト２０（本体部２４）の後面の中間部に、後方に突出する連結部２４ａ，２４ｂが備えられており（右のライト（本体部２４）の連結部２４ａ，２４ｂが内方に向く面を備えている）、右のライト２０（本体部２４）の後面の上部及び下部に、後方に向く面である連結部２４ｃ，２４ｄが備えられている。
【００３２】
これにより図７及び図８に示すように、右のライト２０（本体部２４）の連結部２４ａ，２４ｂを支持フレーム３１の取付部３１ａ，３１ｂに接当させて、刈取部２の右の横外側からボルト３３を挿入し締め付けて連結する。右のライト２０（本体部２４）の連結部２４ｃ，２４ｄを、支持フレーム３１の取付部３１ｃ及び横フレーム２９の取付部２９ａに接当させて、刈取部２の前側又は後側からボルト３３を挿入し締め付けて連結する。
【００３３】
図３及び図４に示すように、刈取部２の右側部を覆う右の上カバー１６及び右の下カバー３４が備えられている。右の下カバー３４は係合機構（図示せず）によって着脱自在に構成されており、右の下カバー３４に備えられた操作部３４ａを手で持って操作することにより、右の下カバー３４の着脱を行うことができる。図７及び図８に示すように、右の上カバー１６に右のライト２０が入り込む開口部が形成されて、右の上カバー１６の後部下部に連結部１６ｃが備えられている。これにより、右の上カバー１６の開口部に右のライト２０が入り込んだ状態で、支持フレーム２７のブラケット２７ａにボルトで連結されたブラケット２７ｂに、右の上カバー１６の連結部１６ｃがボルトで連結されており、右の上カバー１６の上部が横フレーム２９の取付部２９ａにボルトで連結されている。カバー３５の右端部が、横フレーム２９の取付部２９ａにボルトで連結されている。
【００３４】
これにより、図３及び図４に示すように、右のライト２０のカバー２１の前面が、右の上カバー１６の前部１６ａ及び引き起し装置１３の前面と略同一面（又は右のライト２０のカバー２１の前面が、右の上カバー１６の前部１６ａ及び引き起し装置１３の前面よりも少し後側）に位置するように構成されており、右のライト２０のカバー２１の横面が、右の上カバー１６の横部１６ｂと略同一面に位置するように構成されている。
【００３５】
［５］
次に、右及び左のライト２０の照射範囲ＲＤ，ＬＤについて説明する。
右のライト２０の本体部２４のリフレクタにより、右のライト２０の上のバルブ２２の光が左斜め前方及び右横方に反射され、前方に反射されるように構成されており、右のライト２０の下のバルブ２３の光が左斜め前方及び右横方に反射され、斜め前方下方に反射されるように構成されている。これにより、刈取部２を地面に位置させている状態において、右のライト２０の照射範囲ＲＤは図９（ａ）及び図１０に示すような状態となるのであり、右のライト２０の下のバルブ２３によりデバイダ８が照射されている。
【００３６】
左のライト２０の本体部２４のリフレクタにより、左のライト２０の上のバルブ２２の光が右斜め前方及び左横方に反射され、前方に反射されるように構成されており、左のライト２０の下のバルブ２３の光が右斜め前方及び左横方に反射され、斜め前方下方に反射されるように構成されている。これにより、刈取部２を地面に位置させている状態において、左のライト２０の照射範囲ＬＤは図９（ａ）及び図１０に示すような状態となるのであり、左のライト２０の下のバルブ２３によりデバイダ１０が照射されている。
【００３７】
図１０に示すように、刈取部２を地面に位置させている状態において、右のライト２０の照射範囲ＲＤの左側部分と、左のライト２０の照射範囲ＬＤの右側部分とが、刈取部２の前方で重なり合うように、右及び左のライト２０の照射範囲ＲＤ，ＬＤが設定されている。この場合、右のライト２０の照射範囲ＲＤの左側部分と左のライト２０の照射範囲ＬＤの右側部分とが刈取部２の前方で重なり合う部分ＡＤが、刈取部２の中央の所定の近距離（例えば２メートル程度）から前方に位置する状態となる。図９（ａ）に示すように、刈取部２を地面に位置させている状態において、右及び左のライト２０の照射範囲ＲＤ，ＬＤは斜め前方下方に向いている。
【００３８】
図９（ｂ）に示すように、刈取部２を上限位置まで上昇駆動すると、右及び左のライト２０の照射範囲ＲＤ，ＬＤは略前方を向く状態となる。この場合、右のライト２０の照射範囲ＲＤの左側部分と左のライト２０の照射範囲ＬＤの右側部分とが刈取部２の前方で重なり合う部分ＡＤが、刈取部２の中央の所定の遠距離（例えば８メートル程度）から前方に位置する状態となる。
【００３９】
図１，２，１０に示すように、受け台１７にアンローダ１２を乗せた状態（アンローダ１２を格納位置に配置した状態）において、アンローダ１２の吐出口１２ａがデバイダ１０の前方上方の付近に位置しており、アンローダ１２の吐出口１２ａの前部にライト１８が取り付けられている。これにより、刈取部２の中央直前の範囲ＳＤ（右のライト２０の照射範囲ＲＤの左側部分と左のライト２０の照射範囲ＬＤの右側部分とが刈取部２の前方で重なり合う部分ＡＤと、刈取部２との間の付近）が、アンローダ１２のライト１８によって照射される。
【００４０】
図１１に示すように、運転部３にライトスイッチ１９が備えられている。ライトスイッチ１９をＯＮ２位置に操作すると、右及び左のライト２０の上及び下のバルブ２２，２３が点灯し、アンローダ１２のライト１８が点灯する。ライトスイッチ１９をＯＮ１位置に操作すると、右及び左のライト２０の下のバルブ２３が点灯して、右及び左のライト２０の上のバルブ２２が消灯し、アンローダ１２のライト１８が点灯する。ライトスイッチ１９をＯＦＦ位置に操作すると、右及び左のライト２０の上及び下のバルブ２２，２３が消灯し、アンローダ１２のライト１８が消灯する。
【００４１】
［発明の実施の別形態］
前述の［発明を実施するための最良の形態］において、図５，６，７，８に示す右及び左のライト２０（本体部２４）の連結部２４ａ，２４ｂを、右及び左のライト２０（本体部２４）の後面の上部及び下部に備え、右及び左のライト２０（本体部２４）の連結部２４ｃ，２４ｄを、右及び左のライト２０（本体部２４）の後面の中間部に備えるように構成してもよい。
【図面の簡単な説明】
【００４２】
【図１】コンバインの全体側面図
【図２】コンバインの全体平面図
【図３】刈取部の正面図
【図４】刈取部の斜視図
【図５】刈取部における左のライトの付近の縦断正面図
【図６】図５においてＡ−Ａ方向から見た縦断側面図
【図７】刈取部における右のライトの付近の縦断正面図
【図８】図７においてＢ−Ｂ方向から見た縦断側面図
【図９】刈取部を地面に位置させている状態及び刈取部を上限位置まで上昇駆動した状態での刈取部の付近の側面図
【図１０】右及び左のライトの照射範囲を示す平面図
【図１１】ライトスイッチの平面図
【符号の説明】
【００４３】
２                                      刈取部
２０                                    ライト
２４ａ，２４ｂ，２４ｃ，２４ｄ          ライトの連結部
２９ａ，３１ａ，３１ｂ，４１ｃ，３２ａ  刈取部の取り付け部
３３                                    ボルト
【図１】
2006115799.tif 000003
【図２】
2006115799.tif 000004
【図３】
2006115799.tif 000005
【図４】
2006115799.tif 000006
【図５】
2006115799.tif 000007
【図６】
2006115799.tif 000008
【図７】
2006115799.tif 000009
【図８】
2006115799.tif 000010
【図９】
2006115799.tif 000011
【図１０】
2006115799.tif 000012
【図１１】
2006115799.tif 000013